(57)【要約】【課題】  米飯加工食品の崩れやシート状食品の破れが生じることなく、幅方向に容易に分割できるシートを備える米飯加工食品用包装材を提供する。【解決手段】  幅方向に分割可能に形成される外シート１０と、シート状食品４を介して重ね合わせられ、外シート１０と同方向に分離可能に形成される内シート２０とを備え、シート状食品４を囲むように外シート１０と内シート２０とがシールされる米飯加工食品用包装材において、少なくとも内シート２０は、幅方向に分割できるよう、その長手方向に沿ってハーフカット２１が形成されると共に、ハーフカット２１の開裂起点として、ハーフカット２１の端部近傍に配置される切込２５であって、少なくとも一方の端部がハーフカット２１に交差することなくハーフカット２１に向かう切込２５が形成される。【選択図】図３
2010222035.tif 000002
【特許請求の範囲】
【請求項１】
幅方向に分割可能に形成される外シートと、シート状食品を介して重ね合わせられ、外シートと同方向に分離可能に形成される内シートとを備え、シート状食品を囲むように外シートと内シートとがシールされる米飯加工食品用包装材において、少なくとも内シートは、幅方向に分割できるよう、その長手方向に沿ってハーフカットが形成されると共に、ハーフカットの開裂起点として、ハーフカットの端部近傍に配置される切込であって、少なくとも一方の端部がハーフカットに交差することなくハーフカットに向かう切込が形成されることを特徴とする米飯加工食品用包装材。
【請求項２】
前記切込は、ハーフカットを横断し且つ両端部がハーフカットに向かうよう形成されることを特徴とする請求項１に記載の米飯加工食品用包装材。
【請求項３】
ハーフカットと交差する部位がハーフカットの開裂方向に向かって湾曲又は屈曲して形成される補助切込が、前記切込の少なくとも一方の端部近傍に形成されることを特徴とする請求項１又は２に記載の米飯加工食品用包装材。
【請求項４】
前記シールは、ハーフカットと交差する部位がハーフカットの開裂方向に向かって湾曲又は屈曲して形成されることを特徴とする請求項１乃至３のいずれか１項に記載の米飯加工食品用包装材。
【発明の詳細な説明】
【技術分野】
【０００１】
本発明は、例えばシート状の海苔などのシート状食品と、三角おにぎりなどの米飯加工食品とを分離した状態で包装できるよう構成される一方、食する際は、分離した状態で包装されている両者を開放して合体した状態で食せるよう構成される米飯加工食品用包装材に関する。
【背景技術】
【０００２】
従来より、コンビニエンスストア等で販売されている海苔付きおにぎりは、おにぎりと接することによって海苔が湿気ることを防止するため、外シートと内シートとの間に海苔を収納した米飯加工食品の包装材（以下、単に「包装材」と言うことがある。）によっておにぎりを包装することで、おにぎりと海苔とが直に接することがないように包装していた。
【０００３】
図９に示すように、この包装材５０は、シート状の海苔５１を挟み込んで収納するために、１枚のフィルムで構成される外シート５２と２枚のフィルムで構成される内シート５３を備えている。外シート５２は、例えば、おにぎりを包み込むことができる大きさの略長方形に形成されている。また、外シート５２は、内側（内シート側）面に、その長さ方向の両端中央部を互いに結ぶセンターライン上にカットテープ５４が貼着され、このカットテープ５４を引っ張ることにより、引き裂かれて幅方向に分割されるように構成されている。
【０００４】
他方、内シート５３を構成する２枚のフィルムは、外シート５２と内シート５３とを重ね合わせた際、該外シート５２のセンターライン上で一方のフィルムの内側端部と他方のフィルムの内側端部とを上下に重ね合わせ、内シート５３の幅方向へ容易に分離できるように配置されている。
【０００５】
かかる外シート５２と内シート５３とは、その間に海苔５１を挟む（介在する）ように重ね合わせた状態で、長さ方向における両端中央部を除いた周縁部が、ヒートシール５５等によって溶着され、包装材５０を構成している。
【０００６】
このように構成される包装材５０は、図１０に示すように、内シート５３側におにぎり５６が載せられ、カットテープ５４の一方の端部がおにぎり５６の一つの角部に位置するよう、包装材５０を二つ折りにし、内部に収納している海苔５１と共におにぎり５６の形状に即して折り曲げることによって、おにぎり５６を包装する（包み込む）。この時、おにぎり５６は、海苔５１との間に内シート５３だけが介在するように包装されている。
【０００７】
このようにして包装されたおにぎり５６の頂部側の角部から突出しているカットテープ５４の端部を摘んで引っ張ると、おにぎり５６を包んでいる包装材５０の外シート５２が引き裂かれることによって分断（二分割）され、その後、おにぎり５６の底辺側の角部から突出している部分的に包装材５０が折り重なった耳部５８，５８を互いに離間方向に引っ張ると、それと共に内シート５３を構成する２枚のフィルムがそれぞれおにぎり５６と海苔５１との間から前記離間方向に引き抜かれて海苔５１がおにぎり５６を包んだ状態（おにぎり５６と海苔５１とが合体した状態）となり、おにぎり５６を食することができるようになる。
【０００８】
ところで、上記包装材５０でおにぎり５６を包装した場合、おにぎり５６と海苔５１との間には、上述のように内シート５３が介在し、該内シート５３を構成する２枚のフィルムの内側端部同士が互いに隙間なく重なり合うことによって、おにぎり（お米）５６が有する水分が海苔５１の収納されている空間内に入り込み難いように包装されている。
【０００９】
しかし、例えば、おにぎり５６を包装するため、包装材５０をおにぎり５６に即して折り曲げる際に、内シート５３を構成する２枚のフィルムの互いに重なり合う内側端部間に隙間が生じる場合がある。このようにして生じた隙間から、おにぎり５６が有する水分が海苔５１を収納する空間内に入り込んで海苔５１を湿気らせ、海苔特有の食感であるパリパリ感を味わうことができなくなるという問題が生じていた。
【００１０】
そこで、おにぎり５６の有する水分が海苔５１の収納空間に浸入しないようにするため、２枚のフィルムで構成される内シート５３の代わりに、センターライン上に溝状のハーフカットが形成された１枚のフィルムで構成される内シート（図示せず）を備える包装材が提供された。かかるハーフカットは、内シートを構成するフィルム表面に形成される深さが一定の溝で、超音波やレーザー等によって形成される。即ち、内シートのハーフカットが形成されている部分の厚みは、溝（ハーフカット）の深さ分だけ薄くなっている。
【００１１】
このような内シートを備えた包装材でおにぎりを包装することで、海苔とおにぎりとの間に内シートが介在すると共に、該内シートには上述のような重ね合わせ部等、内シートの表面側と裏面側とが連通するような部位が存在しなくなり、おにぎりの水分が海苔の収納空間に浸入することを防ぐことができる。
【００１２】
さらに、内シートのハーフカットが形成されている位置は、その厚みがハーフカットの深さ分だけ薄くなっていることから他の部分に比べて強度が弱くなっている。そのため、おにぎりを包装している包装材の外シートを分断し、底辺側角部に形成された耳部を互いに離間方向に引っ張った際、海苔とおにぎりとの間に介在している内シートは、ハーフカットの位置から容易に破断する。そして、該破断によって分離された内シートが前記耳部の離間方向に引っ張られることでおにぎりと海苔との間から引き抜かれ、おにぎりと海苔とが合体する。
【発明の概要】
【発明が解決しようとする課題】
【００１３】
ところで、前記ハーフカットは、溝の深さを深く形成することで内シートが分離し易くなり、おにぎりと海苔とを合体させる際、内シートを容易且つきれいにハーフカットの位置で分離できる。そのため、包装されているおにぎりを崩すことなく包装材を取り外し、海苔とおにぎりを合体させることができる。
【００１４】
しかし、ハーフカットが深く形成されると、包装材で包装されたおにぎりを搬送したり、商品棚に陳列されている前記おにぎりを購買者が手で掴んだりすることによって内シートに衝撃等が加わることで、簡単に内シートがハーフカットの一部で破断する。このように、一旦、内シートがハーフカットの一部で破断すると、該破断部がハーフカットに沿って広がり易く、ハーフカットの広範囲に亘って内シートが破断してしまう。そのため、かかる部分からおにぎりが有する水分が海苔の収納空間に浸入して海苔が湿気てしまうといった問題が生じる。
【００１５】
一方、上記問題を防ぐために、前記ハーフカットを浅く形成することで、換言すると、ハーフカットの位置における内シートの厚みを厚くすることで、上記衝撃等による内シートのハーフカットでの破断をし難くすることも考えられた。
【００１６】
しかし、ハーフカットを浅く形成すると、おにぎりを食するために該おにぎりから包装材を取り外す際、内シートが破断し難くなり、無理に包装材を取り外そうとすることでおにぎりに大きな力が加わり、おにぎりが崩れたり、ハーフカットの位置以外で内シートが破断して海苔が破れたりする等の問題が生じる。
【００１７】
そこで、本発明は、上記問題点に鑑み、米飯加工食品の崩れやシート状食品の破れが生じることなく、幅方向に容易に分割できるシートを備えた米飯加工食品の包装材を提供することを課題とする。
【課題を解決するための手段】
【００１８】
前記課題を解決するために、本発明に係る米飯加工食品用包装材は、幅方向に分割可能に形成される外シートと、シート状食品を介して重ね合わせられ、外シートと同方向に分離可能に形成される内シートとを備え、シート状食品を囲むように外シートと内シートとがシールされる米飯加工食品用包装材において、少なくとも内シートは、幅方向に分割できるよう、その長手方向に沿ってハーフカットが形成されると共に、ハーフカットの開裂起点として、ハーフカットの端部近傍に配置される切込であって、少なくとも一方の端部がハーフカットに交差することなくハーフカットに向かう切込が形成されることを特徴とする。
【００１９】
この場合、ハーフカットを挟んで、シートを互いに離間する方向に引っ張ると、切込によって方向付けされる亀裂がハーフカットに到達して進行するため、ハーフカットを長手方向に沿ってきれいに最終端まで開裂できるようになる。なお、切込の形状としては、ハーフカットの開裂起点となりうると共に、開裂を方向付けできる形状であればよく、直線、曲線、これらの組み合わせのいずれであってもよく、限定されるものではない。
【００２０】
また本発明によれば、前記切込を、ハーフカットを横断し且つ両端部がハーフカットに向かうよう形成するような構成を採用することもできる。
【００２１】
この場合、ハーフカットを横断した切込の両端部がハーフカットにそれぞれ向かうよう、例えばＳ字状に形成すればよい。
【００２２】
また本発明によれば、ハーフカットと交差する部位がハーフカットの開裂方向に向かって湾曲又は屈曲して形成される補助切込を、前記切込の少なくとも一方の端部近傍に形成するような構成を採用することもできる。
【００２３】
この場合、前記切込による開裂起点の近傍に、さらなる開裂起点が形成されることで、ハーフカットを開裂しようとする方向に複数の開裂起点が形成されるようになり、ハーフカットの開裂が進行しやすくなって、ハーフカットをより一層開裂しやすくなる。
【００２４】
また本発明によれば、前記シールを、ハーフカットと交差する部位がハーフカットの開裂方向に向かって湾曲又は屈曲して形成するような構成を採用することもできる。
【００２５】
この場合、シールとハーフカットとの交差する部位がハーフカットの開裂方向に向かって湾曲又は屈曲して形成されるので、ハーフカットがシールによって潰されていても、ハーフカットの開裂がシールの湾曲又は屈曲している方向に案内されつつシールを乗り越えるので、シールによって途切れることなくハーフカットを開裂できるようになる。
【発明の効果】
【００２６】
以上のように、本発明によれば、少なくとも内シートであって、ハーフカットの端部近傍に、少なくとも一方の端部がハーフカットに交差することなくハーフカットに向かう切込を形成し、この切込をハーフカットの開裂起点とするようにしたので、ハーフカットが途中で破断することなく最後まで容易に且つきれいに開裂できて、米飯加工食品の崩れやシート状食品の破れが生じることなく、米飯加工食品とシート状食品を迅速且つ容易に合体できる効果がある。
【図面の簡単な説明】
【００２７】
【図１】本発明の一実施形態に係る米飯加工食品用包装材の要部の拡大図である。
【図２】本発明の一実施形態に係る米飯加工食品用包装材の平面図であって、（Ａ）は外シート側から見た図、（Ｂ）は内シート側から見た図である。
【図３】米飯加工食品用包装材の分解斜視図である。
【図４】米飯加工食品用包装体を示す斜視図である。
【図５】ハーフカットとの交差部位がＶ字状にシールされた米飯加工食品用包装材の拡大図である。
【図６】切込のみを形成した米飯加工食品用包装材を示した図である。
【図７】切込の変形例を示した図である。
【図８】切込の変形例を示した図である。
【図９】従来の米飯加工食品用包装材を示した図である。
【図１０】（Ａ）、（Ｂ）は図９の米飯加工食品用包装材で米飯加工食品を包装する際の説明図である。
【発明を実施するための形態】
【００２８】
以下、本発明の一実施形態に係る米飯加工食品用包装材について、添付図面を参照しつつ説明する。
【００２９】
以下に、本発明に係る米飯加工食品用包装材の実施形態について、図面に基づいて説明する。なお、以下では、「米飯加工食品用包装材」及び「米飯加工食品用包装体」を単に「包装材」及び「包装体」と称することがある。
【００３０】
包装材１は、図２及び図３に示すように、二つ折りに畳んだ状態でおにぎり等の米飯加工食品３を包み込める大きさの長方形状の外シート（若しくは、表フィルム）１０と、該米飯加工食品３に巻く海苔等のシート状食品４を介して外シート１０に重ね合わされる内シート（若しくは、裏フィルム）２０とを備え、シート状食品４を囲むように外シート１０と内シート２０とがシールされる。なお、米飯加工食品３には、三角形状や樽形状などに握られた各種おにぎりの他、鮨なども含まれる。また、シート状食品４には、シート状の海苔の他、畳鰯なども含まれる。
【００３１】
なお、以下、原則として、外シート１０、内シート２０及びシート状食品４に基づいて長手方向及び幅方向を定めるものとするが、紛らわしいと考えられる場合には、包装材１（若しくは、外シート１０、内シート２０、シート状食品４）の長手方向を縦方向、幅方向を横方向と表現することがある。
【００３２】
図２（Ａ）に示すように、外シート１０は、後述する包装体２の摘み５として機能する開封用の摘持部１１が設けられ、長手方向に沿って設けられる分断手段１２によって分断されることにより（即ち、摘持部１１を引いて分断することにより）幅方向に分割可能となるように構成されるものである。分断手段１２は、外シート１０が分断される方向や幅を規定すべく設けられるものであり、具体的には、カットテープ１３が用いられる。なお、外シート１０には、分断手段１２によって分断されることとなる分断予定部１６が仮想的に設定されている。ここで、外シート１０は、通常、分断手段１２に従って分断されるものであるが、力のかかり具合等によっては、分断手段１２から逸れて分断されてしまう場合もある。従って、前記分断予定部１６は、分断手段１２が設けられる範囲以上の大きさに設定される。
【００３３】
前記カットテープ１３は、外シート１０の長手方向一端部１０ａから他端部１０ｂにかけて（具体的には、全長に亘って）形成される。また、カットテープ１３は、長手方向一端部１０ａを前記摘持部１１に対応させて設けられ、具体的には、カットテープ１３の長手方向一端部が前記摘持部１１に含まれるように設けられる。また、カットテープ１３は、外シート１０の長さ方向に延びるように線状又は帯状をなしており、外シート１０の幅方向に並んで少なくとも二条設けられている。
【００３４】
なお、包装材１は、いわゆるワイドオープンと呼ばれるタイプのものであり、二条のカットテープ１３が長手方向両端部１０ａ，１０ｂよりも長手方向中央部において離間するように設けられ、互いの間隔を拡大させた拡大部１４が形成される。かかる包装材１によって米飯加工食品３を包装した包装体２（図４参照）であれば、拡大部１４に対応する部分でシート状食品４を大きく露呈させるように外シート１０を二分させることで、シート状食品４と外シート１０との間に作用する抵抗を小さくして、シート状食品４を破ることなくシート状食品４と米飯加工食品３との間から内シート２０を引き抜いてシート状食品４と米飯加工食品３とを一体的にすることができる。
【００３５】
前記摘持部１１は、外シート１０の長手方向一端部１０ａ側（即ち、包装材１の長手方向一端部１ａ側）に設けられる。具体的には、前記外シート１０には、それぞれ長手方向一端縁部１０ｃから長手方向内側に向かって延びる一対の摘持部用切込（いわゆるノッチ）１５，１５が幅方向に離間して形成され、かかる一対の摘持部用切込１５，１５によって、その間に摘持部１１が画成される。また、前記一対の摘持部用切込１５，１５は、長手方向に沿い且つ幅方向中心を通る中心線ＣＬを挟んで対称な位置に平行に形成される。
【００３６】
図２（Ｂ）に示すように、内シート２０は、幅方向に分離可能に構成され、具体的には、長手方向に沿ってハーフカット２１が形成される。ハーフカット２１は、内シート２０の長手方向一端部２０ａから他端部２０ｂにかけて（具体的には、全長に亘って）形成される。また、ハーフカット２１は、内シート２０の幅方向中央部に形成される。
【００３７】
また、前記内シート２０には、ハーフカット２１を破断させ易くするためのＳ字状の切込２５とＵ字状の補助切込２６とが形成されている。この切込２５は、内シート２０の長手方向両端部２０ａ，２０ｂ（即ち、シート状食品４を囲む幅方向に沿うシールよりも外側）に一対形成され、この一対の切込２５，２５は、包装材１を二つ折りにして包装体２として完成された場合に包装体２の上部２ａに位置することとなる。従って、包装体２を開封すべく、外シート１０を分断した後に包装体２の上部２ａを幅方向に引っ張って内シート２０を分離する際に、ハーフカット２１を包装体２の前面側及び背面側の両方から好適に破断させることができる。
【００３８】
そして、前記切込２５は、ハーフカット２１を開裂する際の開裂起点となっており、具体的にはＳ字状に形成される。そして、図１に示すように、ハーフカット２１を斜めに横断する交差部２５ａと、この交差部２５ａの両端にそれぞれ連続してハーフカット２１に向かって延びる一対の湾曲部とを有している。この両湾曲部の端部２５ｂ，２５ｃは、ハーフカット２１に交差することなく、ハーフカット２１の手前（より好ましくはハーフカット２１の近傍）に位置するように形成される。
【００３９】
前記補助切込２６は、切込２５の一端部２５ｂの下方に形成されており、切込２５による開裂の進行をハーフカット２１の長手方向に沿うように導くためのもので、具体的には、放物線状（略Ｖ字状）に形成される。そして、ハーフカット２１に対して交差する円弧状部２６ａと、この円弧状部２６ａの両端にそれぞれ連続してハーフカット２１の一端部側に向かうにしたがって拡開する一対の直線部２６ｂ，２６ｂとを有している。そして、切込２５及び補助切込２６は、ハーフカット２１の両端部に形成されており、包装材１を長手方向に二つ折りにして長手方向両端部１ａ，１ｂ同士をシールして包装体２を構成した場合、両端部に形成された切込２５，２５及び補助切込２６，２６は重なり合うことになる。つまり、内シート２０は両端部から幅方向に分断されることになる。
【００４０】
包装材１は、シート状食品４を囲む長手方向に沿うシール部分Ｓ１及び幅方向に沿うシール部分（以下、幅方向シール部分と呼ぶことがある。）Ｓ２を有する。このうち、シート状食品４を長手方向両側から囲む態様で形成される幅方向に沿うシール部分Ｓ２のうち、摘み５が形成される側（長手方向一端側）の幅方向シール部分Ｓ２ａは、前記補助切込２６よりも長手方向内側の位置に設けられる一方、摘み５のない側（長手方向他端側）の幅方向シール部分Ｓ２ｂも前記と同様に、前記補助切込２６よりも長手方向内側の位置に設けられる。かかる幅方向シール部分Ｓ２は、包装材１の全幅に亘って形成されるものであるが、内シート２０のハーフカット２１の位置を残して設けられるものであってもよい。
【００４１】
かかる包装材１を用いて完成される包装体２について説明すると、包装体２は、図３に示すように、包装材１の内シート２０の上に米飯加工食品３を載置し、次に、包装材１を長手方向に二つ折りにして長手方向両端部１ａ，１ｂ同士をシールすることで完成されるものである（図４）。
【００４２】
一方、包装材１は長手方向両端部１ａ，１ｂ同士をシールされる関係上、間にシート状食品４が存在してはシールができない。このため、包装材１の長手方向他端縁１ｄは、少なくともシート状食品４の長手方向一端縁４ａを超える位置に配置されることが好ましい。
【００４３】
ただし、一対のシート１０，２０間に収容されるシート状食品４は、包装材１の製造工程や搬送中に移動し得るものであるため、安定して包装体２を製造する観点からは、包装材１の長手方向他端縁１ｄは、前記一対の幅方向シール部分Ｓ２のうち長手方向一端側の幅方向シール部分Ｓ２ａの位置以上であることがより好ましい。
【００４４】
一方で、包装体２を開封する際には包装体２の上部２ａを持った上で摘み５を引き下ろす動作を行うため包装体２の上部２ａの剛性が高いことが好ましく、従って、包装材１の長手方向他端縁１ｄがなるべく包装材１の長手方向一端縁１ｃに近い位置であることが好ましい。
【００４５】
ここで、包装体２を開封する動作を簡単に説明すると、摘み５を摘んだ状態で包装体２の背面側まで回り込むように長手方向に引っ張り、外シート１０を分断する。
【００４６】
次に、ハーフカット２１を挟んで、包装体２の上部２ａの両側部を摘んで互いに離間する方向に引っ張ると、切込２５からハーフカット２１に開裂が伝達されて、この開裂が切込２５の方向によって、内シート２０を分断しようとする方向、即ちハーフカット２１の他端部側に進行するように案内される。
【００４７】
そして、上記開裂がハーフカット２１の全長に亘って広がると、ハーフカット２１が破断されて、内シート２０が幅方向に分離されて取り除かれ、米飯加工食品３とシート状食品４とが一体化される。
【００４８】
なお、本発明は、前記実施形態に限定されるものではなく、本発明の要旨を逸脱しない範囲で種々の変更が可能である。
【００４９】
例えば、前記実施形態の場合、シート状食品４を囲むように略角環状になるようにシールしたが、図５に示すように、ハーフカット２１と交差する幅方向シール部分Ｓ２ａ，Ｓ２ｂをハーフカット２１の開裂方向に向かってＶ字状に屈曲するようにしてシールしてもよい。この場合、ハーフカット２１がシールによって潰されていても、シールの屈曲方向にハーフカット２１の開裂が導かれると共に、シールを容易に越えることができ、ハーフカット２１の開裂をハーフカット２１の他端部側に進行させることができる。
【００５０】
また、前記実施形態の場合、Ｓ字状の切込２５とＵ字状の補助切込２６を上下に並設するようにしたが、図６に示すように、Ｓ字状の切込２５のみを形成するようにしてもよく、図７に示すように、直線状の切込２５，２５を平行するように形成してもよく、図８に示すように、直線状の切込２５，２５を、ハーフカット２１を挟んで交互に形成してもよい。極端に言えば、ハーフカット２１の何れか側に直線状や曲線状の切込を一本形成するだけであってもよい。要は、切込２５がハーフカット２１の開裂起点になると共に、その開裂方向を開裂しようとする方向に導くことができる形状であればよい。
【符号の説明】
【００５１】
１…包装材、１ａ…長手方向一端部、１ｂ…長手方向他端部、１ｃ…長手方向一端縁、１ｄ…長手方向他端縁、２…包装体、２ａ…上部、３…米飯加工食品、４…シート状食品、４ａ…長手方向一端縁、５…摘持部、１０…外シート、１０ａ…長手方向一端部、１０ｂ…長手方向他端部、１０ｃ…長手方向一端縁部、１０ｄ…長手方向一端縁、１１…摘持部、１２…分断手段、１３…カットテープ、１４…拡大部、１５…摘持部用切込、１６…分断予定部、２０…内シート、２０ａ…長手方向一端部、２０ｂ…長手方向他端部、２０ｃ…長手方向一端縁部、２０ｄ…長手方向一端縁、２１…ハーフカット、２５…切込、２５ａ…交差部、２５ｂ…一端部、２５ｃ…他端部、２６…補助切込、２６ａ…円弧状部、２６ｂ…直線部、Ｓ１…長手方向に沿うシール部分、Ｓ２…幅方向に沿うシール部分（幅方向シール部分）、Ｓ２ａ…長手方向一端側の幅方向シール部分、Ｓ２ｂ…長手方向他端側の幅方向シール部分
【図１】
2010222035.tif 000003
【図２】
2010222035.tif 000004
【図３】
2010222035.tif 000005
【図４】
2010222035.tif 000006
【図５】
2010222035.tif 000007
【図６】
2010222035.tif 000008
【図７】
2010222035.tif 000009
【図８】
2010222035.tif 000010
【図９】
2010222035.tif 000011
【図１０】
2010222035.tif 000012